(57)【要約】【課題】悪意の第三者から位置情報の返信を要求をされても、これを拒否して位置情報を返信しないようにすることができる携帯電話機を提供する。【解決手段】位置情報を取得する位置情報システム機能を利用するための位置情報システム部６と、位置情報を他の通信端末と送受信する通信部８とを備えてなる携帯電話機２において、記憶部１０への複数の電話番号の登録を操作部１２からの入力操作により行なうことができるアドレス帳機能を有し、通話の受信をしたときに相手側の電話機から電話番号が通知されないか又は相手側の電話機から通知された電話番号がアドレス帳機能により記憶部１０に登録された複数の電話番号のいずれにも該当しない場合には、通話中に相手側の電話機から位置情報を要求する信号を受信しても位置情報を返信しないようにする制御部４を備えるようにした。【選択図】      図１
2004247827.tif 000002
【特許請求の範囲】
【請求項１】
位置情報を取得する位置情報システム機能を利用するための位置情報システム部と、位置情報を他の通信端末と送受信する通信部とを備えてなる携帯電話機において、
記憶部への複数の電話番号の登録を操作部からの入力操作により行なうことができるアドレス帳機能を有し、
通話の受信をしたときに相手側の電話機から電話番号が通知されないか又は相手側の電話機から通知された電話番号が前記アドレス帳機能により前記記憶部に登録された複数の電話番号のいずれにも該当しない場合には、通話中に相手側の電話機から前記位置情報を要求する信号を受信しても位置情報を返信しないようにする制御部を備えたことを特徴とする携帯電話機。
【請求項２】
前記制御部は、通話の受信をしたときに相手側の電話機から電話番号が通知されないか又は相手側の電話機から通知された電話番号が前記アドレス帳機能により前記記憶部に登録された複数の電話番号のいずれにも該当しない場合に、
通話中に前記相手側の電話機から前記位置情報を要求する信号と共に所定の暗証番号を受信したときは位置情報を返信するようにしたことを特徴とする請求項１に記載の携帯電話機。
【請求項３】
位置情報を取得する位置情報システム機能を利用するための位置情報システム部と、位置情報を他の通信端末と送受信する通信部とを備えてなる携帯電話機において、
記憶部への複数の電話番号の登録を操作部からの入力操作により行なうことができると共に、登録された電話番号ごとに前記位置情報の送信の許可設定をすることができるアドレス帳機能を有し、
通話の受信をしたときに相手側の電話機から通知された電話番号が前記アドレス帳機能により前記記憶部に許可設定のされた電話番号のいずれにも該当しない場合には、通話中に相手側の電話機から前記位置情報を要求する信号を受信しても位置情報を返信しないようにする制御部を備えたことを特徴とする携帯電話機。
【請求項４】
前記制御部は、通話の受信をしたときに相手側の電話機から通知された電話番号が前記アドレス帳機能により前記記憶部に許可設定のされた電話番号のいずれにも該当しない場合に、
通話中に前記相手側の電話機から前記位置情報を要求する信号と共に所定の暗証番号を受信したときは位置情報を返信するようにしたことを特徴とする請求項３に記載の携帯電話機。
【請求項５】
前記制御部は、通話の受信をしたときに相手側の電話機から通知された電話番号が前記アドレス帳機能により前記記憶部に登録された電話番号のいずれかに該当し、かつその電話番号が許可設定のされていないものである場合に、
通話中に前記相手側の電話機から前記位置情報を要求する信号と共に所定の暗証番号を受信したときは登録されている相手側の電話機の電話番号について許可設定をすると共に位置情報を返信するようにしたことを特徴とする請求項３に記載の携帯電話機。
【発明の詳細な説明】
【０００１】
【発明の属する技術分野】
本発明は、現時点の位置を測定することのできる、ＧＰＳ等の位置情報システム機能を利用して位置情報を取得することができると共に、この位置情報を送受信することのできる携帯電話機に関するものである。
【０００２】
【従来の技術】
位置情報システム機能を利用することのできる携帯電話機が、すでに実用化されている。位置情報システムとしては、携帯電話機を捕捉することのできる、複数の基地局の位置に基いて、この携帯電話機の位置を割り出すようにしたシステムがあり、また、複数の衛星から発射された電波の到達時間差に基いて、携帯電話機自身で自らの位置を割り出すようにしたＧＰＳ（Ｇｌｏｂａｌ  Ｐｏｓｉｔｉｏｎｉｎｇ  Ｓｙｓｔｅｍ）がある。
【０００３】
これらのような位置情報システム機能を利用すれば、携帯電話機のユーザーは、ユーザー自身の正確な位置を判断することができる。また、携帯電話機が位置情報を取得した後、他の携帯電話機との通話をしているときに、通話データの一部としてその位置情報を送信する方法、又は通話が終了した後にその位置情報を送信する方法により、相手側の携帯電話機等においても、送信側のユーザーの位置を特定することができる（例えば、特許文献１参照）。
【０００４】
また、この携帯電話機を紛失してしまったような場合には、他の携帯電話機から通話して位置情報を返信させることにより、この位置情報に基いて紛失した携帯電話機を見つけ出すこともできる。
【０００５】
【特許文献１】
特開２００２−３３５５５１号公報
【０００６】
【発明が解決しようとする課題】
しかしながら、このような携帯電話機では、悪意の第三者からの通話を受信して、一方的に通話を開始された場合には、悪意の第三者から位置情報の返信を要求する信号が送信されると、この携帯電話機から位置情報が勝手に引出されて、ユーザーのプライバシーが侵害されるおそれがあるという問題があった。
【０００７】
そこで本発明は、上記問題点に鑑みて、悪意の第三者から位置情報の返信を要求をされても、これを拒否して位置情報を返信しないようにすることができる携帯電話機を提供することを課題とするものである。
【０００８】
なお、本発明の通話は、相互の装置間で情報の送受信を行なうことを意味するものとし、データの送受信を行なう場合も本発明の通話に該当するものとする。
【０００９】
【課題を解決するための手段】
上記課題を解決するために本発明は、
位置情報を取得する位置情報システム機能を利用するための位置情報システム部と、位置情報を他の通信端末と送受信する通信部とを備えてなる携帯電話機において、
記憶部への複数の電話番号の登録を操作部からの入力操作により行なうことができるアドレス帳機能を有し、
通話の受信をしたときに相手側の電話機から電話番号が通知されないか又は相手側の電話機から通知された電話番号が前記アドレス帳機能により前記記憶部に登録された複数の電話番号のいずれにも該当しない場合には、通話中に相手側の電話機から前記位置情報を要求する信号を受信しても位置情報を返信しないようにする制御部を備えたことを特徴とするものである。
【００１０】
このような携帯電話機によれば、悪意の第三者からの通話を受信して、一方的に通話を開始された場合であっても、悪意の第三者は、この携帯電話機から位置情報を勝手に返信させることができないので、ユーザーのプライバシーが確実に保護される。
【００１１】
【発明の実施の形態】
以下、本発明の実施の形態について、図面に基づいて具体的に説明する。
図１ないし図６は、本発明の第１の実施の形態に係る携帯電話機について説明するために参照する図である。
【００１２】
図１は、携帯電話機２の回路構成の一部を示す図である。同図に示すように、主制御部４には、位置情報システム機能を利用するための位置情報システム部としてのＧＰＳ部６、通信部８、記憶部１０、十字キー及びテンキー等の設けられている操作部１２、及びＬＣＤ（液晶ディスプレイ）等の表示部１４が接続されている。
【００１３】
ＧＰＳ部６は、ＧＰＳ衛星からの信号を受信するＧＰＳアンテナ部６ｃと、このＧＰＳアンテナ部６ｃで受信した信号により、この携帯電話機２の現在の位置を算出する位置検出部６ｂと、これらを制御するＧＰＳ制御部６ａにより構成されている。
【００１４】
通信部８は、音声による通話のためのスピーカー部８ｂとマイク部８ｃ、基地局との間で送受信するためのアンテナ部８ｄ、及びこれらを制御するための通信制御部８ａにより構成されている。また、通信部８は、音声以外の信号によっても位置情報等のデータを他の通信端末や基地局と送受信することができるようになっている。
【００１５】
ＧＰＳ部６の位置検出部６ｂにより算出した現在の位置情報（緯度や経度等の情報）は、主制御部４の管理の下で、通信部８により基地局を経由してセンターに送信される。センターでは、受信したその位置情報に基いてその位置の周辺の地図データを作成し、この地図データを携帯電話機２に返信するようになっている。
【００１６】
記憶部１０には、位置情報エリア１０ａ、電話番号エリア１０ｂ、可否情報エリア１０ｄ、暗証番号エリア１０ｅの記憶領域が設けられるようになっている。
位置情報エリア１０ａは、ＧＰＳ部６により算出した現在の位置情報、及びセンターから受信した地図データを記憶する記憶領域である。
【００１７】
電話番号エリア１０ｂは、この携帯電話機２の有するアドレス帳機能を利用して、操作部のテンキー等の操作により入力された、複数の電話番号及び氏名等を記憶（登録）することができるようになっている記憶領域である。
【００１８】
次に、可否情報エリア１０ｄは、この携帯電話機２が通話の受信をしたとき、相手側から通知された電話番号と電話番号エリア１０ｂに記憶された電話番号に、一致するものがあるかどうかの判断結果として、可否情報の「１（許可）」又は「０（不許可）」のいずれかが、一時的に記憶されるようになっている記憶領域である。
【００１９】
また後述するように、この可否情報は、主制御部４により可否情報エリア１０ｄに書込まれるものであるが、通話中に操作部のテンキー等により所定の操作をして、ユーザーが変更することができるようになっている。
【００２０】
そして、暗証番号エリア１０ｅは、予めユーザーが設定した所定の暗証番号が記憶される記憶領域である。
【００２１】
このような携帯電話機２の動作について、図２ないし図６に基づいて説明する。図２及び図３に示すフローチャートは、通話の受信をした場合における通信部８の動作を示すものであり、図４ないし図６に示すフローチャートは、主制御部４の動作を示すものである。
【００２２】
通信制御部８ａは、図２に示すように、待受け状態から通話の受信をした場合には（ステップＳ１０１及びＳ１０２のＹＥＳ）、その通話の相手が、電話番号の通知の設定を、「非通知」にしているかどうかについて判断する（ステップＳ１０３）。
【００２３】
通話の相手が、電話番号の通知の設定を「非通知」にしている場合には（ステップＳ１０３のＹＥＳ）、相手側の電話番号を０として扱うようにする（ステップＳ１０４）。電話番号の通知の設定が「通知」にされている場合には（ステップＳ１０３のＮＯ）、その電話番号を検出する（ステップＳ１０５）。
【００２４】
次に、通信制御部８ａは、検出した相手側の電話番号を主制御部４に送信し（ステップＳ１０６の破線矢印「Ａ」）、主制御部４からの返信（ステップＳ１０７の手前の破線矢印「Ｂ」）があるまで待機する。
【００２５】
図４に示すように、主制御部４は、受信した通話の相手側の電話番号を通信制御部８ａから受け取って（ステップＳ２０１の手前の破線矢印「Ａ」）、これと一致する電話番号が、記憶部１０の電話番号エリア１０ｂに記憶されているか検索する（ステップＳ２０１）。
【００２６】
相手側の電話番号と一致する電話番号が、記憶部１０の電話番号エリア１０ｂに記憶されていた場合には（ステップＳ２０１のＹＥＳ）、主制御部４は、記憶部１０の可否情報エリア１０ｄに「１（許可）」を書き込む（ステップＳ２０２）。
【００２７】
相手側の電話番号と一致する電話番号が、記憶部１０の電話番号エリア１０ｂに記憶されていない場合、または、相手側の電話番号が０として扱われている場合には（ステップＳ２０１のＮＯ）、主制御部４は、記憶部１０の可否情報エリア１０ｄに「０（不許可）」を書き込む（ステップＳ２０３）。
【００２８】
そして、主制御部４は、相手側の電話番号等と共に可否情報エリア１０ｄに書込んだ可否情報の内容を、表示部１４に表示する（ステップＳ２０４）。例えば、相手側の電話番号が、記憶部１０の電話番号エリア１０ｂに記憶されていたものである場合には、相手側の電話番号と共に氏名等を表示部１４に表示するようにしてもよく、また、可否情報が「１（許可）」である場合には、この可否情報そのものに代えて、「相手側から位置情報の返信要求をされた場合には、位置情報が送信されます」等のガイダンスが、表示部１４に表示されるようにしてもよい。
【００２９】
主制御部４は、ステップＳ２０４の動作まで終了すると、通信制御部８ａの待機状態を解除する信号（ステップＳ２０４の後の破線矢印「Ｂ」）を、通信制御部８ａに送信する。
【００３０】
次に図２に示すように、通信制御部８ａは、主制御部４から送信された待機状態の解除の信号を、ステップＳ１０６まで終了した段階で受信する（ステップＳ１０６の後の破線矢印「Ｂ」）。
【００３１】
そして、通信制御部８ａは、通話の受信をユーザーに報知するため、スピーカー部８ｂから着信音を発生させる（ステップＳ１０７）。ここで、ユーザーは、表示部１４に表示された情報を見て（図４のステップＳ２０４参照）、フックオフの操作をするかどうかを判断することができる。
【００３２】
また、ユーザーが、直ちにフックオフの操作をすることができないような状態であっても、通常時には留守番電話の機能が設定されていて、着信音が鳴り始めてから一定時間後に、自動的にフックオフの操作がされ、相手側からの要件を録音等するようになっている。
【００３３】
ユーザーが、フックオフの操作をすると、フックオフされた旨の信号は、操作部１２から主制御部４を介して、通信制御部８ａに送られ、フックオンの操作がされるまで（図３のステップＳ１１７）、会話をすることのできるフックオフ状態が継続される（図２のステップＳ１０８のＹＥＳ）。
【００３４】
そして、留守番電話の機能が解除されている状態で、ユーザーが、フックオフの操作をしなかった場合には（ステップＳ１０８のＮＯ）、着信音が切れた後に、再び待受け状態となる（ステップＳ１０１）。
【００３５】
一方、フックオフの操作がされると、主制御部４はこの信号を操作部１２から受取り、図５に示すように、操作部１２からフックオンされた旨の信号を受取るまでの間は（ステップＳ３０６のＹＥＳ）、操作部１２のテンキー等により所定の操作をすることにより、記憶部１０の可否情報エリア１０ｄに記憶されている可否情報を変更できるようになっている（ステップＳ３０１ないしＳ３０５）。
【００３６】
ユーザーが、通話中に可否情報を変更するための操作をした場合には、主制御部４がこれを検知する（ステップＳ３０１のＹＥＳ）。そして、ユーザーの操作が、可否情報を「１（許可）」にするものである場合には（ステップＳ３０２のＹＥＳ）、主制御部４は記憶部１０の可否情報エリア１０ｄに、「１（許可）」の情報を書き込む（ステップＳ３０３）。
【００３７】
ユーザーの操作が、可否情報を「１（許可）」にするものでない場合には（ステップＳ３０２のＮＯ）、主制御部４は記憶部１０の可否情報エリア１０ｄに、「０（不許可）」の情報を書き込む（ステップＳ３０４）。また、ユーザーが可否情報を変更する操作をしない場合には（ステップＳ３０１のＮＯ）、記憶部１０の可否情報エリア１０ｄに記憶されている可否情報は、そのまま維持される（ステップＳ３０５）。
【００３８】
また、図３に示すように、通信制御部８ａは、ユーザーがフックオフの操作をした後の通話中において、位置情報を要求する信号を特に受信しない場合には（ステップＳ１０９のＮＯ）、音声による通信のみの制御を継続する。通話中において、相手側から音声と共に位置情報の返信を要求する信号を検出した場合には（ステップＳ１０９のＹＥＳ）、以下の動作を行なう。
【００３９】
まず、相手側から位置情報の返信を要求する信号と共に、暗証番号が送信されてきたかどうかの判断をする（ステップＳ１１０）。暗証番号が送信されてきた場合には、その暗証番号を検出し（ステップＳ１１１）、暗証番号が送信されていない場合には、暗証番号は「０」であるものとして処理する（ステップＳ１１２）。
【００４０】
そして、通信制御部８ａは、検出した暗証番号を主制御部４に送信するように動作する（ステップＳ１１３の破線矢印「Ｃ」）。通信制御部８ａにおける位置情報の返信の要求に対する処理は、主制御部４から可否情報の信号を受信（ステップＳ１１４の手前の破線矢印「Ｄ」）した後に再開される。
【００４１】
図６に示すように、主制御部４は、通信制御部８ａから暗証番号を受け取ると（破線矢印「Ｃ」）、その暗証番号が、記憶部１０の暗証番号エリア１０ｅに記憶されている暗証番号と一致するかどうか判断する（ステップＳ４０１）。
【００４２】
通信制御部８ａから受け取った暗証番号が、記憶部１０の暗証番号エリア１０ｅに記憶されている暗証番号と一致した場合には（ステップＳ４０１のＹＥＳ）、可否情報が「１（許可）」であったかどうかに関わらずに（図４のステップＳ２０２，Ｓ２０３、及び図５のステップＳ３０３，Ｓ３０４参照）、可否情報として「１（許可）」を通信制御部８ａに送る（ステップＳ４０２）。
【００４３】
また、通信制御部８ａから受け取った暗証番号が、記憶部１０の暗証番号エリア１０ｅに記憶されている暗証番号と一致しない場合には（図６のステップＳ４０１のＮＯ）、記憶部１０の可否情報エリア１０ｄに記憶されている可否情報が、そのままの内容で通信制御部８ａに送られる。
【００４４】
すなわち、記憶部１０の可否情報エリア１０ｄに記憶されている可否情報が、「１（許可）」である場合には（ステップＳ４０３のＹＥＳ）、主制御部４は可否情報として「１（許可）」を、通信制御部８ａに送信する（ステップＳ４０２）。
【００４５】
また、記憶部１０の可否情報エリア１０ｄに記憶されている可否情報が、「１（許可）」でない場合には（ステップＳ４０３のＮＯ）、主制御部４は可否情報として「０（不許可）」を、通信制御部８ａに送信する（ステップＳ４０４）。
【００４６】
通信制御部８ａは、図３に示すように、ステップＳ１１４の手前の段階において、「１（許可）」又は「０（不許可）」のいずれかの可否情報を、主制御部４から受取る（破線矢印「Ｄ」）。通信制御部８ａは、ステップＳ１１４において、この可否情報が「１（許可）」又は「０（不許可）」のいずれであるかについて判断するようになっている。
【００４７】
可否情報が「１（許可）」でない場合には（ステップＳ１１４のＮＯ）、通信制御部８ａは、位置情報を相手側に送信する制御動作を行なわないようにする。可否情報が「１（許可）」である場合には（ステップＳ１１４のＹＥＳ）、通信制御部８ａは、主制御部４に、位置情報を記憶部１０の位置情報エリア１０ａから引き出して、通信制御部８ａに返信するように要求する（ステップＳ１１５）。そして通信制御部８ａは、位置情報を主制御部４から受け取った後、これを音声と共に相手側に送信する（ステップＳ１１６）。
【００４８】
通話が終了してフックオンの操作がされると（ステップＳ１１７のＹＥＳ）、その旨の信号が、操作部１２から主制御部４を介して通信制御部８ａに送られる。図５に示すように、主制御部４は、ユーザーが可否情報の変更をすることのできる状態を終了し（ステップＳ３０６のＹＥＳ）。また、図２及び図３に示すように、通信部８は、再び待受け状態となる（ステップＳ１１７のＹＥＳ及びＳ１０１）。
【００４９】
このような第１の実施の形態に係る携帯電話機２によれば、記憶部１０の電話番号エリア１０ｂに記憶されている電話番号の相手から位置情報の返信を要求された場合には、これに応じるようにすることができ、記憶部１０の電話番号エリア１０ｂに記憶されている電話番号以外の相手から位置情報の返信を要求されても、これに応じないようにすることができる。
【００５０】
また、ユーザーは、記憶部１０の電話番号エリア１０ｂに記憶されている電話番号以外の相手から受信して通話を開始した後に、必要に応じて所定の操作をすることにより、位置情報の返信要求をされたときに、これに応じるようにすることができる。また、逆に、記憶部の電話番号エリア１０ｂに記憶されている電話番号の相手から受信して通話を開始した後にも、所定の操作をすることにより、位置情報の返信要求をされても、これに応じないようにすることができる。
【００５１】
また、ユーザーは、この携帯電話機２を紛失した場合でも、この携帯電話機２に対して、位置情報の返信要求と共に所定の暗証番号を送信すれば、記憶部１０の電話番号エリア１０ｂに記憶されていない電話番号の電話機から発信した場合であっても、位置情報を返信させて、自分の携帯電話機２を見つけ出すことができる。
【００５２】
次に、本発明の第２の実施の形態に係る携帯電話機２０について、図２、図３、及び図５ないし図８に基づいて説明する。これらの図に示す携帯電話機２０は、前記第１の実施の形態に係る携帯電話機２と同様の構成部分には同じ符号を付して説明し、重複する説明は省略するものとする。
【００５３】
図７に示すように、本実施の形態に係る携帯電話機２０の構成は、図１に示す第１の実施の形態に係る携帯電話機２とほぼ同様であるが、記憶部１０には、位置情報通知設定エリア１０ｃが設けられている。位置情報通知設定エリア１０ｃは、電話番号エリア１０ｂに記憶される複数の各電話番号に対応して、位置情報通知設定（許可設定）を記憶させるための記憶領域である。
【００５４】
位置情報通知設定エリア１０ｃに記憶される位置情報通知設定は、ユーザーが、この携帯電話機２０の有するアドレス帳機能を使用し、電話番号エリア１０ｂに記憶される各電話番号に対応させて、ＯＮ（許可）又はＯＦＦ（不許可）の設定を記憶させる。
【００５５】
通話中に、その通話の相手側から位置情報の返信要求をされたときに、位置情報エリア１０ａに記憶されている位置情報が、相手側に送信されてもよい場合には、位置情報通知設定をＯＮ（許可）に設定する。
【００５６】
また、通話中に、その通話の相手側から位置情報の返信要求をされたときに、これを拒否して、位置情報が相手側に送信されないようにする場合には、位置情報通知設定をＯＦＦ（不許可）に設定する。
【００５７】
次に、図２、図３、図５、図６及び図８のフローチャートに基いて、本実施の形態における携帯電話機２０の動作について説明する。図８のフローチャートは、第１の実施の形態における図４のフローチャートに相当するものであり、図８におけるステップＳ５０１のみが異なっている。
【００５８】
すなわち本実施の形態においては、主制御部４は、受信した通話の相手側の電話番号を、通信制御部８ａから受け取った後（ステップＳ５０１の手前の破線矢印「Ａ」）、これに一致すると共に、記憶部１０の位置情報通知設定エリア１０ｃの位置情報通知設定がＯＮ（許可）にされている電話番号が、記憶部の電話番号エリア１０ｂに記憶されているか検索するようになっている（ステップＳ５０１）。
【００５９】
このような第２の実施の形態に係る携帯電話機２０によれば、ユーザーは、通話の受信をする前に、予め電話番号エリア１０ｂに記憶されている複数の電話番号に対応して、位置情報の返信要求をされたときに、これに応じるかどうかの設定を、位置情報通知設定として、アドレス帳機能により設定することができる。
【００６０】
また、記憶部１０の電話番号エリア１０ｂに記憶されている電話番号であって、位置情報通知設定がＯＮ（許可）の相手から位置情報の返信を要求された場合には、これに応じるようにすることができ、記憶部の電話番号エリアに記憶されている電話番号以外の相手や、位置情報通知設定がＯＦＦ（不許可）の相手から位置情報の返信を要求されても、これに応じないようにすることができる。
【００６１】
また、ユーザーは、記憶部１０の電話番号エリア１０ｂに記憶されている電話番号以外の相手や、位置情報通知設定がＯＦＦ（不許可）の相手から受信して通話を開始した後に、必要に応じて所定の操作をすることにより、位置情報の返信を要求されたときに、これに応じるようにすることができる。また、逆に、位置情報通知設定がＯＮ（許可）の相手から受信して通話を開始した後にも、所定の操作をすることにより、位置情報の返信を要求されても、これに応じないようにすることができる。
【００６２】
また、ユーザーは、この携帯電話機２０を紛失した場合でも、この携帯電話機２０に対して、位置情報の返信要求と共に暗証番号を送信すれば、記憶部１０の電話番号エリア１０ｂに記憶されていない電話番号の電話機や、位置情報通知設定がＯＦＦ（不許可）に設定されている電話機から発信した場合であっても、位置情報を返信させて、紛失した携帯電話機２０を見つけ出すことができる。
【００６３】
次に、本発明の第３の実施の形態に係る携帯電話機３０について、図２、図３、図５、図７ないし図９に基いて説明する。これらの図に示す携帯電話機３０は、第２の実施の形態に係る携帯電話機２０と同様の構成部分には同じ符号を付して説明し、重複する説明は省略するものとする。図７に示すように、本実施の形態に係る携帯電話機３０の構成は、第２の実施の形態に係る携帯電話機２０と同様である。
【００６４】
そして、本実施の形態に係る携帯電話機３０は、図２、図３、図５、図８及び図９のフローチャートに基いて動作する。図９のフローチャートは、第２の実施の形態における図６のフローチャートに相当するものであり、図９におけるステップＳ６０２が加えられた点のみが異なっている。
【００６５】
すなわち本実施の形態では、通信制御部８ａから受け取った暗証番号が、記憶部１０の暗証番号エリア１０ｅに記憶されている暗証番号と一致した場合には（ステップＳ６０１のＹＥＳ）、主制御部４は、電話番号エリア１０ｂに記憶されている相手側の電話番号に対応して、位置情報通知設定エリア１０ｃに記憶されている位置情報通知設定をＯＮ（許可）に変更すると共に（ステップＳ６０２）、可否情報エリア１０ｄに記憶されている可否情報が「１（許可）」であるか否かに関わらず、可否情報として「１（許可）」を通信制御部８ａに送るようになっている（ステップＳ６０３）。
【００６６】
なお、本実施の形態とは別の実施の形態として、位置情報の返信要求と共に受信した暗証番号が記憶部１０の暗証番号エリア１０ｅに記憶された暗証番号と一致し、電話番号エリア１０ｂに記憶されている電話番号以外の相手から送信されたものである場合には、ステップＳ６０２において、主制御部４が、その相手側の電話番号を記憶部１０の電話番号エリア１０ｂに記憶すると共に、これに対応する位置情報通知設定がＯＮ（許可）となるようにして、これを位置情報通知設定エリア１０ｃに書込むようにしてもよい。
【００６７】
このような第３の実施の形態に係る携帯電話機３０によれば、ユーザーは通話の受信をする前に、予め電話番号エリア１０ｂに記憶されている複数の電話番号に対応して、位置情報の返信要求をされたときに、これに応じるかどうかの設定を、位置情報通知設定として、アドレス帳機能により設定することができる。
【００６８】
また、記憶部１０の電話番号エリア１０ｂに記憶されている電話番号であって、位置情報通知設定がＯＮ（許可）の相手から位置情報の返信を要求された場合には、これに応じるようにすることができ、記憶部１０の電話番号エリア１０ｂに記憶されている電話番号以外の相手や、位置情報通知設定がＯＦＦ（不許可）の相手側から位置情報の返信を要求されても、これに応じないようにすることができる。
【００６９】
また、ユーザーは、記憶部１０の電話番号エリアに記憶されている電話番号以外の相手や、位置情報通知設定がＯＦＦ（不許可）の相手から受信して通話を開始した後に、必要に応じて所定の操作をすることにより、位置情報の返信を要求されたときに、これに応じるようにすることができる。また、逆に、位置情報通知設定がＯＮ（許可）の相手から受信して通話を開始した後にも、所定の操作をすることにより、位置情報の返信を要求されても、これに応じないようにすることができる。
【００７０】
また、ユーザーは、この携帯電話機３０を紛失した場合でも、この携帯電話機３０に対して、位置情報の返信要求と共に、記憶部１０の暗証番号エリア１０ｅに記憶された暗証番号を送信すれば、位置情報通知設定がＯＦＦ（不許可）の電話番号の電話機から発信するようにしても、位置情報通知設定をＯＮ（許可）に変更させると共に、位置情報を返信させて、紛失した携帯電話機３０を見つけ出すことができる。
【００７１】
なお、上記の第１ないし第３の実施の形態においては、操作部１２のテンキー等により所定の操作をすることにより、記憶部１０の可否情報エリア１０ｄに記憶される可否情報を変更することができるようにしたが、テンキー等とは別に、可否情報を変更するための短縮キーを操作部１２に設けて、この短縮キーの操作により位置情報通知設定が切換わるようにしてもよい。
【００７２】
また、上記の第１ないし第３の実施の形態においては、携帯電話機自身に備えたＧＰＳの位置情報システム機能を利用することができるようにしたが、他の実施の形態として、携帯電話機を捕捉することのできる複数の基地局の位置に基づいて、センターがこの携帯電話機の位置情報を認識すると共に、周辺の地図データを作成するシステムの機能を利用する位置情報システム機能であってもよい。この場合には、携帯電話機からの要求に基づいて、この携帯電話機についての位置情報と地図データが、センターから基地局を経由して返信され、記憶部の位置情報エリアに記憶される。
【００７３】
また、上記の第１ないし第３の実施の形態においては、通話の相手側からの位置情報の返信要求に対して、位置情報のみを送信するようにしていたが、位置情報と共に地図データを送信するようにしてもよい。
【００７４】
また、上記の第１ないし第３の実施の形態においては、携帯電話機について説明したが、ＰＤＡ（Ｐｅｒｓｏｎａｌ  Ｄｉｇｉｔａｌ  Ａｓｓｉｓｔａｎｔ）等のような他の種類の携帯端末装置であっても、位置情報システム機能を利用することができると共に、音声信号を送受信して通話する機能を備えているような場合には、同様の技術的思想に基いて、これらに本発明を適用することができる。したがって、本発明における携帯電話機には、位置情報システム機能を利用することができると共に、音声信号を送受信して通話する機能を備える、他の種類の携帯端末装置も含まれていることはいうまでもない。
【００７５】
なお、本発明の通話は、相互の装置間で情報の送受信を行なうことを意味するものとし、データの送受信を行なう場合も本発明の通話に該当するものとする。
【００７６】
【発明の効果】
以上説明したように、本発明の携帯電話機によれば、記憶部に記憶されている電話番号の相手、或いは位置情報の返信を要求されたときに応じるように設定した相手から位置情報の返信を要求された場合には、これに応じるようにすることができると共に、これ以外の相手から位置情報の返信を要求されても、これに応じないようにすることができる。
【００７７】
また、通話を開始した後に、必要に応じて所定の操作をすることにより、位置情報の返信を要求されたときに、これに応じる状態又はこれに応じない状態に変更することもできる。
【００７８】
また、ユーザーがこの携帯電話機を紛失した場合でも、この携帯電話機に対してユーザーが、位置情報の返信要求と共に暗証番号を送信すれば、記憶部に記憶されていない電話番号の電話機、或いは位置情報の返信を要求されたときに応じないように設定した電話機から発信するようにしても、位置情報を返信させてユーザーは紛失した自分の携帯電話機を見つけ出すことができる。
【００７９】
したがって、位置情報システム機能を十分に利用することができるだけでなく、悪意の第三者からの通話を受信して、一方的に通話を開始された場合であっても、悪意の第三者は、この携帯電話機から位置情報を勝手に返信させることができないので、ユーザーのプライバシーが確実に保護されるようにすることができる。
【図面の簡単な説明】
【図１】本発明の第１の実施の形態に係る携帯電話機２の回路構成を示すブロック図である。
【図２】本発明の第１ないし第３の実施の形態における通信部８の動作手順を示すフローチャートである。
【図３】本発明の第１ないし第３の実施の形態における通信部８の動作手順を示すフローチャートである。
【図４】本発明の第１の実施の形態における主制御部４の動作手順を示すフローチャートである。
【図５】本発明の第１ないし第３の実施の形態における主制御部４の動作手順を示すフローチャートである。
【図６】本発明の第１及び第２の実施の形態における主制御部４の動作手順を示すフローチャートである。
【図７】本発明の第２及び第３の実施の形態に係る携帯電話機２０，３０の回路構成を示すブロック図である。
【図８】本発明の第２及び第３の実施の形態における主制御部４の動作手順を示すフローチャートである。
【図９】本発明の第３の実施の形態における主制御部４の動作手順を示すフローチャートである。
【符号の説明】
２  携帯電話機
４  主制御部
６  ＧＰＳ部
６ａ  ＧＰＳ制御部
６ｂ  位置検出部
６ｃ  ＧＰＳアンテナ部
８  通信部
８ａ  通信制御部
８ｂ  スピーカー部
８ｃ  マイク部
８ｄ  アンテナ部
１０  記憶部
１０ａ  位置情報エリア
１０ｂ  電話番号エリア
１０ｃ  位置情報通知設定エリア
１０ｄ  可否情報エリア
１０ｅ  暗証番号エリア
１２  操作部
１４  表示部
２０，３０  携帯電話機
【図１】
2004247827.tif 000003
【図２】
2004247827.tif 000004
【図３】
2004247827.tif 000005
【図４】
2004247827.tif 000006
【図５】
2004247827.tif 000007
【図６】
2004247827.tif 000008
【図７】
2004247827.tif 000009
【図８】
2004247827.tif 000010
【図９】
2004247827.tif 000011